(57)【要約】【課題】低温になるときがあっても、水の凍結による破壊及び出力低下が起こらないように作動可能なダイレクトメタノール型燃料電池発電装置及びその作動方法を提供すること。【解決手段】ダイレクトメタノール型燃料電池の燃料流路内にメタノール水溶液を導入する工程と、前記燃料流路内のメタノール水溶液をプロトン酸系凍結防止液に置換する工程と、前記燃料流路内のプロトン酸系凍結防止液をメタノール水溶液に置換する工程とを有することを特徴とするダイレクトメタノール型燃料電池発電装置の作動方法とする。少なくとも、ダイレクトメタノール型燃料電池と、メタノール水溶液が入った燃料タンクと、プロトン酸系凍結防止液が入った凍結防止液タンクとを具備することを特徴とするダイレクトメタノール型燃料電池発電装置とする。【選択図】図１
2005276657.tif 000002
【特許請求の範囲】
【請求項１】
ダイレクトメタノール型燃料電池により発電する装置の作動方法であって、
（ａ）前記ダイレクトメタノール型燃料電池の燃料流路内にメタノール水溶液を導入する工程と、
（ｂ）前記燃料流路内のメタノール水溶液をプロトン酸系凍結防止液に置換する工程と、
（ｃ）前記燃料流路内のプロトン酸系凍結防止液をメタノール水溶液に置換する工程と
を有することを特徴とするダイレクトメタノール型燃料電池発電装置の作動方法。
【請求項２】
前記工程（ｂ）が、
（ｂ−１）前記燃料流路内にガスを導入して前記燃料流路内のメタノール水溶液を排出する工程と、
（ｂ−２）前記燃料流路内にプロトン酸系凍結防止液を導入する工程と
を有する請求項１に記載のダイレクトメタノール型燃料電池発電装置の作動方法。
【請求項３】
前記工程（ｃ）が、
（ｃ−１）前記燃料流路内にガスを導入して前記燃料流路内のプロトン酸系凍結防止液を排出する工程と、
（ｃ−２）前記燃料流路内にメタノール水溶液を導入する工程と
を有する請求項１又は２に記載のダイレクトメタノール型燃料電池発電装置の作動方法。
【請求項４】
（ｄ）前記燃料流路を流れるメタノール水溶液の濃度を測定し、該濃度を一定に保つ制御を行う工程
を更に有する請求項１〜３のいずれかに記載のダイレクトメタノール型燃料電池発電装置の作動方法。
【請求項５】
前記プロトン酸系凍結防止液が、硫酸水溶液である請求項１〜４のいずれかに記載のダイレクトメタノール型燃料電池発電装置の作動方法。
【請求項６】
前記ダイレクトメタノール型燃料電池が、電解質膜として固体高分子電解質膜を有する請求項１〜５のいずれかに記載のダイレクトメタノール型燃料電池発電装置の作動方法。
【請求項７】
ダイレクトメタノール型燃料電池により発電する装置であって、少なくとも、
（Ａ）ダイレクトメタノール型燃料電池と、
（Ｂ）メタノール水溶液が入った燃料タンクと、
（Ｃ）プロトン酸系凍結防止液が入った凍結防止液タンクと
を具備することを特徴とするダイレクトメタノール型燃料電池発電装置。
【請求項８】
前記プロトン酸系凍結防止液が、硫酸水溶液である請求項７に記載のダイレクトメタノール型燃料電池発電装置。
【請求項９】
前記ダイレクトメタノール型燃料電池が、電解質膜として固体高分子電解質膜を有する請求項７又は８に記載のダイレクトメタノール型燃料電池発電装置。
【請求項１０】
前記ダイレクトメタノール型燃料電池に具備される燃料流路の燃料導入口に、前記燃料タンク及び前記凍結防止液タンクがポンプを介して接続されている請求項７〜９のいずれかに記載のダイレクトメタノール型燃料電池発電装置。
【請求項１１】
（Ｄ）前記ダイレクトメタノール型燃料電池に具備される燃料流路に、ガスを導入可能なガス導入口
を更に具備する請求項７〜１０のいずれかに記載のダイレクトメタノール型燃料電池発電装置。
【請求項１２】
（Ｅ−１）前記燃料タンクに接続されている、高濃度メタノール液が入った濃度調整タンクと、
（Ｅ−２）前記ダイレクトメタノール型燃料電池に具備される燃料流路を流れるメタノール水溶液の濃度を測定可能なメタノール濃度センサーと、
（Ｅ−３）該メタノール濃度センサーの測定結果に基づき、前記濃度を一定に保つ制御を行う濃度制御部と
を更に具備する請求項７〜１１のいずれかに記載のダイレクトメタノール型燃料電池発電装置。
【発明の詳細な説明】
【技術分野】
【０００１】
本発明は、ダイレクトメタノール型燃料電池発電装置及びその作動方法に関する。
【背景技術】
【０００２】
ダイレクトメタノール型燃料電池（以下ＤＭＦＣと称す）は、エネルギー密度が高く、水素発生用の改質器が不要であり小型化可能なことから、小型携帯用燃料電池向けに特に研究が進められている。ＤＭＦＣは、以下の電池反応により発電するものである。
【０００３】
負極（燃料極）：ＣＨ3ＯＨ＋Ｈ2Ｏ→６Ｈ+＋６ｅ-＋ＣＯ2↑
正極（空気極）：６Ｈ+＋３／２Ｏ2＋６ｅ-→３Ｈ2Ｏ
燃料極ではメタノールと水とが必須成分であることから、燃料極側の燃料流路には燃料としてメタノール水溶液が液体状態で導入される。したがって、燃料として水素を導入する燃料電池（以下ＰＥＦＣと称す）では膜電極接合体（以下ＭＥＡと称す）の両面が気体であるのに対して、ＤＭＦＣでは、ＭＥＡの燃料極側が液体となる。また、ＤＭＦＣによる発電は通常メタノール水溶液を循環しつつ行うことから、そのための燃料タンク及びメタノール水溶液循環手段等を具備する発電装置を構成して作動させる。
【０００４】
ところで、燃料電池内に含まれる水は、０℃未満の低温になったときに凍結してしまう可能性がある。その場合、水の凍結時に起きる体積膨張によって電解質膜と触媒層との密着性が低下し出力が低下することや、電解質膜と触媒層との剥離により破壊することがある。特に、ＤＭＦＣにおいては、燃料極が液体、空気極が気体であることから、水の凍結による燃料極と空気極との体積変化の差が大きく、ＭＥＡの密着性を損ないやすく、低温になると、発電のみならず発電停止状態で保持することも難しいという問題点がある。
【０００５】
メタノール自体の凝固点降下作用を利用して、燃料として用いるメタノール水溶液のメタノール濃度を高くすることで燃料極付近での水の凍結を防止する方法が、特許文献１に提案されている。ところが、特にメタノール濃度が高いと、電解質膜をメタノールが通過するメタノールクロスオーバーと呼ばれる現象により、多くのメタノールが空気極側に到達するようになる。空気極に到達したメタノールは酸素と反応することで水が発生するため、今度は空気極付近での水の凍結が発生しやすくなり、場合によっては燃料極側よりも高い温度で水の凍結が起きてしまうことがある。
【０００６】
また、ＰＥＦＣに関する技術ではあるが、エチレングリコール等のアルコール系低凝固点材料を含む溶液で燃料流路を置換する方法が、特許文献２に記載されている。しかし、この方法をＤＭＦＣに適用しようとすると、再起動時に燃料流路内に残存するアルコール系低凝固点材料がメタノール水溶液に溶解してしまう。アルコール系低凝固点材料も燃料極の燃料となり得るものであるが、メタノールに比べて効率が悪く、出力が低下してしまう。また、その電池反応の生成物は除去できず燃料流路内に蓄積するため、電池抵抗を増大させる一因となり得る。
【特許文献１】特開２００２−７５４１４号公報
【特許文献２】特開２００３−１８７８４７号公報
【発明の開示】
【発明が解決しようとする課題】
【０００７】
本発明は、低温になるときがあっても、水の凍結による破壊及び出力低下が起こらないように作動可能なダイレクトメタノール型燃料電池発電装置及びその作動方法を提供することを目的とする。
【課題を解決するための手段】
【０００８】
本発明は、ダイレクトメタノール型燃料電池により発電する装置の作動方法であって、
（ａ）前記ダイレクトメタノール型燃料電池の燃料流路内にメタノール水溶液を導入する工程と、
（ｂ）前記燃料流路内のメタノール水溶液をプロトン酸系凍結防止液に置換する工程と、
（ｃ）前記燃料流路内のプロトン酸系凍結防止液をメタノール水溶液に置換する工程と
を有することを特徴とするダイレクトメタノール型燃料電池発電装置の作動方法である。
【０００９】
また、本発明は、ダイレクトメタノール型燃料電池により発電する装置であって、少なくとも、
（Ａ）ダイレクトメタノール型燃料電池と、
（Ｂ）メタノール水溶液が入った燃料タンクと、
（Ｃ）プロトン酸系凍結防止液が入った凍結防止液タンクと
を具備することを特徴とするダイレクトメタノール型燃料電池発電装置である。
【発明の効果】
【００１０】
本発明のダイレクトメタノール型燃料電池発電装置及びその作動方法によれば、低温になるときがあっても、水の凍結による破壊及び出力低下が起こらないように作動可能となる。
【発明を実施するための最良の形態】
【００１１】
本発明は、低温になるときがあっても、水の凍結による破壊及び出力低下が起こらないように作動可能なダイレクトメタノール型燃料電池発電装置及びその作動方法を提供するものである。基本的に、低温時の凍結対策として用いる凍結防止液としては、そこに含まれる成分が、水に溶解して凝固点降下作用があること、燃料電池内の材料及び燃料電池反応に対して化学的に安定で悪影響を及ぼさないこと、電解質膜を通って空気極へ到達し蒸発がないことが求められる。本発明では上記問題点を考慮し、凍結防止液としてプロトン酸系凍結防止液を用いる。すなわち、低温になることが考えられる保持状態において、燃料（メタノール水溶液）をプロトン酸系凍結防止液で置換しておき、再起動時には燃料で再置換する。プロトン酸系凍結防止液は燃料電池内で化学的に安定であり、電解質膜を通過した蒸発等の消費もないため繰り返しの使用が可能である。
【００１２】
図１に、本発明のダイレクトメタノール型燃料電池発電装置の一例の構造を示す模式図である。以下、図１に基づいて具体的に説明する。なお、図１のダイレクトメタノール型燃料電池は単セルの電池であるが、セル数は複数でもよく、また、セルスタック構造には特に制限はない。
【００１３】
まず、本発明のダイレクトメタノール型燃料電池発電装置は、少なくとも、（Ａ）ダイレクトメタノール型燃料電池７、（Ｂ）燃料タンク３１、及び（Ｃ）凍結防止液タンク３２を具備する。
【００１４】
上記のダイレクトメタノール型燃料電池７は、燃料極側触媒電極３、電解質膜４、及び空気極側触媒電極５が積層された膜電極接合体（ＭＥＡ）６を有する。発電に用いる燃料は、燃料導入口１１から燃料流路１に導入され燃料排出口１２から排出される。一方、発電に用いる酸素は、空気導入口２１から空気流路２に導入され空気排出口２２から排出される。以上の構成により、ダイレクトメタノール型燃料電池７は発電することができる。
【００１５】
燃料極側触媒電極３及び空気極側触媒電極５としては公知のものを使用でき、例えば、カーボン等に担持された触媒とナフィオン（登録商標）溶液で調製されるペーストを、カーボン不織布、カーボンシート等に塗布したものが使用できる。燃料極側触媒電極３の触媒としては、ＤＭＦＣ用Ｐｔ−Ｒｕ合金触媒などが使用でき、空気極側触媒電極５の触媒としては、Ｐｔ触媒などが使用できる。また、電解質膜４としては公知のものが使用でき、通常、固体高分子電解質膜を使用する。固体高分子電解質膜としては、パーフルオロスルホン酸系、炭化水素系の電解質膜等を使用できる。
【００１６】
上記の燃料タンク３１には、発電に用いる燃料としてメタノール水溶液が投入されている。メタノール水溶液の濃度には特に制限はなく、電解質膜４のメタノール透過特性に応じて適宜設定すればよいが、通常は０．５〜５ｍｏｌ／ｌとされる。
【００１７】
上記の凍結防止液タンク３２には、プロトン酸系凍結防止液が投入されている。プロトン酸系凍結防止液としては、硫酸水溶液、リン酸水溶液等が使用できるが、安定性の観点から硫酸水溶液が好ましい。硫酸水溶液の濃度には特に制限はないが、硫酸濃度が高いほど凝固点が低下して凍結しにくくなる傾向を示すが、高すぎると取り扱い性が低下することから、１〜６０質量％が好ましく、１０〜３０質量％がより好ましい。
【００１８】
図１に示すように、上記の燃料タンク３１及び凍結防止液タンク３２は、ポンプ３５を介して燃料導入口１１に接続されていることが好ましい。また、（Ｄ）燃料流路１にガスを導入可能なガス導入口を更に具備することが好ましい。このガス導入口としては、図１に示すように、ポンプ３５によって吸入可能に設置されたガス吸入口３６であることが好ましいが、ポンプを介さずに加圧してガスを導入可能な構成等でも構わない。さらに、図１に示すように、燃料タンク３１、凍結防止液タンク３２、及びガス吸入口３６が、４方コック３３及びポンプ３５を介して燃料導入口１１に接続した構成とすることで、４方コック３３を適宜切り替えることで、燃料、プロトン酸系凍結防止液及びガスをポンプ３５の力によって燃料流路１内に導入可能となり好ましい。
【００１９】
また、燃料タンク３１及び凍結防止液タンク３２は燃料排出口１２にも接続され、燃料流路１内の燃料及びプロトン酸系凍結防止液を戻すことが可能な構成であることが好ましい。さらに、図１に示すように、燃料タンク３１及び凍結防止液タンク３２が、ガス分離装置４１及び３方コック３４を介して燃料排出口１２に接続されていることが好ましい。なお、ガス分離装置４１は、燃料排出口１２から流れてきた気体をガス排出口４２側に分離することができるものであり、発電時に発生する二酸化炭素及び導入したガスなどを排出するために設置されるものである。
【００２０】
さらに、（Ｅ−１）燃料タンク３１に接続されている、高濃度メタノール液が入った濃度調整タンク５１と、（Ｅ−２）燃料流路１を流れるメタノール水溶液の濃度を測定可能なメタノール濃度センサー５３と、（Ｅ−３）メタノール濃度センサー５３の測定結果に基づき、前記濃度を一定に保つ制御を行う濃度制御部５２とを具備することが好ましい。このような構成とすることで、発電によってメタノールが消費されても、循環するメタノール水溶液の濃度を一定に保つことができる。図１では、メタノール濃度センサー５３を燃料導入口１１の直前に設置しているが、燃料流路１に流れるメタノール水溶液の濃度を検知可能であれば、その設置場所には制限はなく、例えば燃料タンク３１内に設置しても良い。
【００２１】
濃度調整タンク５１に投入される高濃度メタノール液は、メタノール単独又は高濃度メタノール水溶液を用いる。高濃度メタノール水溶液の濃度は、発電時に使用するメタノール水溶液より高ければ特に制限はない。
【００２２】
以上のような本発明のダイレクトメタノール型燃料電池発電装置は、低温になるときがあっても、水の凍結による破壊及び出力低下が起こらないように作動可能となる。
【００２３】
以下、その作動方法について、図１の発電装置に基づいて具体的に説明する。
【００２４】
まず、（ａ）ダイレクトメタノール型燃料電池の燃料流路内にメタノール水溶液を導入する工程により、ダイレクトメタノール型燃料電池で発電を行う。図１の発電装置においては、４方コック３３、３方コック３４を燃料タンク３１側に切り替えて、燃料タンク３１と燃料流路１の間でメタノール水溶液をポンプ３５によって循環させ、発電を行ことができる。ただし、燃料流路１内にメタノール水溶液をシリンジ等で導入することも可能である。なお、発電時は、空気極５側の空気流路２には酸素が必要である。この酸素源としては通常空気を用い、空気導入口２１から導入され空気排出口２２から排出される。空気の代わりに、純酸素、又は純酸素と他の気体との混合ガスを用いても構わない。
【００２５】
発電と並行して、（ｄ）燃料流路を流れるメタノール水溶液の濃度を測定し、その濃度を一定に保つ制御を行う工程により、発電によってメタノールが消費されても、循環するメタノール水溶液の濃度を一定に保つことが好ましい。図１の発電装置においては、燃料導入口１１の直前に設置されたメタノール濃度センサー５３によって、燃料流路１に流れるメタノール水溶液の濃度を測定し、その濃度に基づいて、濃度制御部５２が濃度調整タンク５１内の高濃度メタノール液を燃料タンク３１に必要量投入する制御を行うことが可能となっている。また、このメタノール水溶液の濃度調整を行いつつ発電をしたときは、発電終了の前に、濃度調整を止め高電流発電を行う等により、燃料タンク３１内のメタノール濃度が電解質膜４のクロスオーバーを起こさない濃度にまで低下させることが好ましい。
【００２６】
次に、（ｂ）燃料流路内のメタノール水溶液をプロトン酸系凍結防止液に置換する工程を実施する。このとき、置換を容易にかつ確実に行うために、工程（ｂ）を、（ｂ−１）燃料流路内にガスを導入して燃料流路内のメタノール水溶液を排出する工程と、（ｂ−２）燃料流路内にプロトン酸系凍結防止液を導入する工程とにより行うことが好ましい。ただし、燃料流路内のメタノール水溶液をシリンジ等で抜き取り、その後プロトン酸系凍結防止液をシリンジ等で導入することも可能である。図１の発電装置においては、発電を停止させた後、まず、４方コック３３をガス吸入口３６側に切り替えて、燃料流路１内にポンプ３５で空気を送ることで、燃料流路１内のメタノール燃料を排出して燃料タンク３１に戻すことができる。送った空気はガス分離装置４１で取り除き、ガス排出口４２から排出できる。このときに導入するガスは、空気に限らず不活性ガス等を用いることも可能である。次に、４方コック３３及び３方コック３４を凍結防止液タンク３２側に切り替えて、プロトン酸系凍結防止液を凍結防止液タンク３２から燃料流路１内へポンプ３５で送って、燃料流路１内をプロトン酸系凍結防止液で充填することができる。このように、燃料流路１内のメタノール水溶液をプロトン酸系凍結防止液に置換した状態とすることで、保持中に低温（０℃未満）になった場合でも、水の凍結が起こりにくくなる。
【００２７】
そして、（ｃ）燃料流路内のプロトン酸系凍結防止液をメタノール水溶液に置換する工程を実施し、ダイレクトメタノール型燃料電池発電装置を再起動する。このとき、置換を容易にかつ確実に行うために、工程（ｃ）を、（ｃ−１）燃料流路内にガスを導入して燃料流路内のプロトン酸系凍結防止液を排出する工程と、（ｃ−２）燃料流路内にメタノール水溶液を導入する工程とにより行うことが好ましい。ただし、燃料流路内のプロトン酸系凍結防止液をシリンジ等で抜き取り、その後メタノール水溶液をシリンジ等で導入することも可能である。図１においては、保持後、４方コック３３をガス吸入口３６側に切り替えて、燃料流路１内にポンプ３５で空気を送ることで、燃料流路１内のプロトン酸系凍結防止液を排出して凍結防止液タンク３２に戻すことができる。送った空気はガス分離装置４１で取り除き、ガス排出口４２から排出できる。このときに導入するガスは、空気に限らず不活性ガス等を用いることも可能である。そして、４方コック３３及び３方コック３４を再度燃料タンク３１側に切り替えて、燃料タンク３１と燃料流路１の間でメタノール水溶液をポンプ２５で循環させ、再起動する。
【００２８】
以上のような本発明の作動方法によれば、低温になるときがあっても、水の凍結による破壊及び出力低下が起こらないように、ダイレクトメタノール型燃料電池発電装置を作動できる。
【実施例】
【００２９】
以下、実施例によって説明する。
【００３０】
［ダイレクトメタノール型燃料電池発電装置の作製］
燃料極触媒としてＰｔ−Ｒｕ合金触媒をカーボン粒子に担持させたもの、空気極触媒としてＰｔ触媒をカーボン粒子に担持させたものを準備し、それぞれ、担持された触媒量と同量のナフィオン（登録商標）溶液を混合して撹拌し、ペーストとした。それぞれのペーストをカーボンペーパーに塗布して触媒電極（燃料極側及び空気極側）を作製した後、両触媒電極で固体高分子電解質膜（Ｎａｆｉｏｎ（登録商標）、Ｄｕｐｏｎｔ社製）を挟み、ホットプレスにて加熱・加圧（１３０℃、１０ＭＰａ）してＭＥＡを作製した。このＭＥＡを用いて、図１に示す構成のダイレクトメタノール型燃料電池発電装置を作製した。
【００３１】
［実験例１］（実施例１〜３、比較例１）
燃料として２ｍｏｌ／ｌメタノール水溶液を燃料タンクに投入した。また、プロトン酸系凍結防止液として硫酸水溶液を凍結防止液タンクに投入した。ここで、硫酸水溶液の濃度は、１０質量％（実施例１）、２０質量％（実施例２）、３０質量％（実施例３）とし、さらに比較例１として、純水（硫酸水溶液の濃度：０質量％）を凍結防止タンクに投入したものも作製した。
【００３２】
まず、４方コック、３方コックを燃料タンク側に切り替えて、燃料タンクと燃料流路の間でメタノール水溶液をポンプで循環させ、発電を行った。なお、運転温度は２５℃とし、空気流路には空気を循環させた。また、発電時間は１時間とした。
【００３３】
発電終了後、４方コックをガス吸入口側に切り替えて、燃料流路内にポンプで空気を送ることで、燃料流路内のメタノール燃料を排出して燃料タンクに戻した。送った空気はガス分離装置で取り除き、ガス排出口から排出した。
【００３４】
次に、４方コック、３方コックを凍結防止液タンク側に切り替えて、プロトン酸系凍結防止液を凍結防止液タンクから燃料流路内へポンプで送って、燃料流路内をプロトン酸系凍結防止液で充填した。そして、低温（０℃、−５℃、−１０℃、−１５℃）で、８時間保持した。
【００３５】
低温保持後、４方コックをガス吸入口側に切り替えて、燃料流路内にポンプで空気を送ることで、燃料流路内のプロトン酸系凍結防止液を排出して凍結防止液タンクに戻した。送った空気はガス分離装置で取り除き、ガス排出口から排出した。
【００３６】
そして、４方コック、３方コックを再度燃料タンク側に切り替えて、燃料タンクと燃料流路の間でメタノール水溶液をポンプで循環させ、再起動した。なお、運転条件は上記と同じとした。
【００３７】
［実験例２］（実施例４〜６、比較例２）
以下の点以外は、実験例１（それぞれ実施例１〜３及び比較例１に対応）と同様の手法で実施した。
【００３８】
濃度調整タンクに６ｍｏｌ／ｌの高濃度メタノール水溶液を投入した。そして、発電時に循環するメタノール水溶液の濃度をメタノール濃度センサーで監視し、その濃度が２ｍｏｌ／ｌより低くなったときは、濃度調整タンクの高濃度メタノール水溶液を適量燃料タンクに投入する制御を濃度制御部で行い、発電時に循環するメタノール水溶液を２ｍｏｌ／ｌで一定に保持した。
【００３９】
また、発電終了の直前には、高電流発電を行うことで、燃料タンク内のメタノール濃度が電解質膜のクロスオーバーを起こさない濃度（０．３ｍｏｌ／ｌ）にまで低下させた。その後に発電終了の操作を行った。
【００４０】
［実験例３］（実施例７〜９、比較例３）
燃料流路へのメタノール水溶液及びプロトン酸系凍結防止液の導入及び燃料流路からの抜き取りを全てシリンジによる操作で行う以外は、実験例１（それぞれ実施例１〜３及び比較例１に対応）と同様の手法で実施した。
【００４１】
［実験例４］（比較例４）
燃料流路内をプロトン酸系凍結防止液で置換せずに、低温保持を燃料流路内にメタノール水溶液が入ったまま行った以外は、実施例１と同様の手法で実施した。
【００４２】
以上の実験例１〜４（実施例１〜９及び比較例１〜４）における、初期及び再起動時のダイレクトメタノール型燃料電池発電装置の出力（Ｗ）を、表１にまとめて示す。この結果より、本発明のダイレクトメタノール型燃料電池発電装置及びその作動方法によれば、低温でも水の凍結による破壊及び出力低下が起きにくいことが分かった。
【００４３】
【表１】
2005276657.tif 000003
【００４４】
※「測定不可」は、凍結による破壊を起こし、測定不可であったことを表す。
【産業上の利用可能性】
【００４５】
本発明にかかるダイレクトメタノール型燃料電池発電装置は、エネルギー密度が高く、水素発生用の改質器が不要であり小型化可能なことから、小型携帯用燃料電池向けに好適である。
【図面の簡単な説明】
【００４６】
【図１】本発明のダイレクトメタノール型燃料電池発電装置の一例の構造を示す模式図である。
【符号の説明】
【００４７】
１    燃料流路
２    空気流路
３    燃料極側触媒電極
４    電解質膜
５    空気極側触媒電極
６    膜電極接合体（ＭＥＡ）
７    ダイレクトメタノール型燃料電池
１１  燃料導入口
１２  燃料排出口
２１  空気導入口
２２  空気排出口
３１  燃料タンク
３２  凍結防止液タンク
３３  ４方コック
３４  ３方コック
３５  ポンプ
３６  ガス吸入口
４１  ガス分離装置
４２  ガス排出口
５１  濃度調整タンク
５２  濃度制御部
５３  メタノール濃度センサー
【図１】
2005276657.tif 000004